(57)【特許請求の範囲】
【請求項１】
天板を支持する天板載置部と、当該天板載置部から下方に延びる一本の脚と、床面に設置され当該脚を支持する脚支持部と、を備えた一本脚こたつに用いるこたつ用敷物であって、
前記こたつ用敷物は中央部に孔を備え、
前記孔は、前記脚または前記脚と前記脚支持部との接続部材を挿通可能、かつ、前記脚支持部を挿通不能な大きさに形成され、
周縁部よりも前記中央部の方が重く構成されているこたつ用敷物。
【請求項２】
前記こたつ用敷物のうち、少なくとも前記脚支持部の上方に配置される部分は、当該脚支持部の形状に応じた凹部が形成されている、または、当該脚支持部の形状に応じて変形可能な材料で構成されている、もしくは、これらの双方である請求項１記載のこたつ用敷物。
【発明の詳細な説明】
【技術分野】
【０００１】
本発明は、こたつ用敷物、特に、一本の脚を有するこたつ用の敷物に関する。
【背景技術】
【０００２】
従来のこたつは、天板と、天板を載置する天板載置部と、天板載置部を支持する４本の脚と、を備えたものが一般的である。このようなこたつでは、通常は、人は脚と脚との間に座り、足をこたつの内部に差し入れる。人数が多い場合には、脚の付近に座る必要性が生じるが、その場合には、そこに座る人は脚が邪魔になり不便を強いられることとなる。
【０００３】
このような問題を解決するために、一本の脚を天板載置部の中央部から垂下し、脚の下端を脚支持部（底板）に支持させたこたつが提案されている（例えば、特許文献１〜６）。
【０００４】
これらのような一本脚こたつでは、いずれの場所に座っても脚が邪魔になることはなく、上述の問題は解決することができる。しかしながら、脚を一本にすることにより、従来の４本脚のこたつに比べて安定性が低下するという問題が生じる。この問題を解決するために、上述の特許文献に記載されたこたつでは、底板の径を天板と同程度としている。
【先行技術文献】
【特許文献】
【０００５】
【特許文献１】特開平６−１１７６３８号公報
【特許文献２】特開２００２−０７１１４６号公報
【特許文献３】実用新案登録第３１８８１６７号
【特許文献４】実開昭６２−１４９７０１号公報
【特許文献５】実開昭６２−１８７２０６号公報
【特許文献６】実開平５−０９４６０２号公報
【発明の概要】
【発明が解決しようとする課題】
【０００６】
上述したように、特許文献１〜６に記載されたこたつでは、底板の径が大きいため、使用者は底板の上に着座することとなる。そうすると、底板の硬さや冷たさで、座り心地が低下するおそれがある。
【０００７】
本発明は上記課題に鑑みてなされたものであり、その目的は、一本脚こたつの安定性を高めつつ、座り心地の低下を抑制する技術を提供することにある。
【課題を解決するための手段】
【０００８】
上記課題を解決するための、天板を支持する天板載置部と、当該天板載置部から下方に延びる一本の脚と、床面に設置され当該脚を支持する脚支持部と、を備えた一本脚こたつに用いるこたつ用敷物の好適な実施形態の一つでは、前記こたつ用敷物は中央部に孔を備え、前記孔は、前記脚または前記脚と前記脚支持部との接続部材を挿通可能、かつ、前記脚支持部を挿通不能な大きさに形成され、周縁部よりも前記中央部の方が重く構成されている。
【０００９】
この構成では、脚支持部の上にこたつ用敷物を載せることができ、こたつ用敷物がこたつに対する重しとなり、こたつの安定性を向上させることができる。そのため、従来の一本脚こたつに比べて、脚支持部を小さくすることができ、脚支持部の上に座る可能性を低くすることができる。仮に、脚支持部の上方に座ったとしても、こたつ用敷物を介しているため、座り心地が低下することを抑制することができる。
【００１１】
また、こたつ用敷物の重さを部分的に変えているため、全体の重量の増大を抑制しつつ、こたつの安定性を向上させることができる。
【００１２】
本発明のこたつ用敷物の好適な実施形態の一つでは、少なくとも前記脚支持部の上方に配置される部分は、当該脚支持部の形状に応じた凹部が形成されている、または、当該脚支持部の形状に応じて変形可能な材料で構成されている、もしくは、これらの双方である。
【００１３】
この構成では、脚支持部によってこたつ用敷物の上面が盛り上がることを抑制することができ、座り心地が低下するのを抑制することができる。
【図面の簡単な説明】
【００１４】
【図１】一本脚こたつの斜視図である。
【図２】こたつ用敷物の斜視図である。
【図３】設置状態における一本脚こたつとこたつ用敷物の斜視図である。
【図４】設置状態におけるこたつ用敷物の断面図である。
【図５】設置状態におけるこたつ用敷物の断面図である。
【図６】分断線が形成されたこたつ用敷物の斜視図である。
【図７】設置状態におけるこたつ用敷物の断面図である。
【発明を実施するための形態】
【００１５】
以下に図面を用いて、本発明に係るこたつ用敷物の実施形態を説明する。図１は、本発明のこたつ用敷物の使用対象となる一本脚こたつ（以下、こたつと略称する）の斜視図である。図に示すように、本実施形態のこたつ１は、天板１１と、天板載置部１２と、ヒーター１３と、一本の脚１４と、脚支持部１５と、を備えている。
【００１６】
天板１１は、平面視形状円形の板状に構成されている。天板載置部１２は、天板１１が載置される部材であり、本実施形態では、天板１１と略同径の外枠１２ａと、外枠１２ａの中心から放射状に延びて外枠１２ａに接続される補強部材１２ｂと、から構成されている。天板載置部１２を板状でなく、このように構成することにより、こたつ１の上部の重量が軽減され、重心を下方に位置させることができる。この天板載置部１２の下面にはヒーター１３が取り付けられている。本実施形態では、ヒーター１３は、ドーナツ状の平面ヒーターで構成されている。
【００１７】
上述したように、このこたつ１の脚１４は一本のみであり、その上端は天板載置部１２の下面中心（平面視形状の重心付近）に接続され、その下端は脚支持部１５の上面中心（平面視形状の重心付近）に接続されている。本実施形態では、脚支持部１５は、平面視円形の板状に構成されている。本実施形態では、脚支持部１５の径は天板１１の径よりも小さく構成されており、人が着座した際に脚支持部１５の上に乗りにくくなっている。なお、脚支持部１５は板状に限定されるものではなく、他の形状でも構わない。また、本実施形態では、脚支持部１５は脚１４に対して脱着可能に構成されている。
【００１８】
図２は、本実施形態におけるこたつ用敷物（以下、敷物と略称する）の斜視図である。図に示すように、敷物２は、厚みのある略方形に構成されており、中央部に上下に貫通する平面視形状が円形の孔２１が形成されている。なお、中央部なる語は、幾何学的な中心位置や重心位置を意味するものではなく、周縁部を除く内側を意味するものである。また、孔２１の平面視形状は適宜変更可能である。
【００１９】
次に、図３を用いて敷物２の設置状態を説明する。図３は、こたつ１の設置状態（設置過程）を示す斜視図である。
【００２０】
こたつ１を設置する際には、先ず、床面に脚支持部１５を配置する。この脚支持部１５の上面中央には接続部材としての接続ピン１５ａが立設されている。次に、この脚支持部１５の上に敷物２を被せる。このとき、敷物２の孔２１から接続ピン１５ａが出るようにしておく。
【００２１】
一方、脚１４の下面には接続ピン１５ａに適合する形状の接続孔１４ａが形成されており、接続ピン１５ａを接続孔１４ａに挿入することで、脚１４と脚支持部１５とを接続する。なお、接続ピン１５ａと接続孔１４ａとは、ダボとダボ穴とで構成しても良いし、ネジとネジ穴とで構成しても構わない。
【００２２】
本実施形態では、孔２１の径は脚１４と略同径となっている。そのため、孔２１に対して、脚１４を挿通することはできるが、脚支持部１５を挿通することはできない。これにより、敷物２は脚支持部１５に対する重しとなり、こたつ１の安定性を向上させることができる。
【実施例１】
【００２３】
図４は、図３のＩＶ−ＩＶ断面図である。図に示すように、本実施形態では、敷物２の下面に脚支持部１５の形状に適合した凹部が形成されており、その凹部に脚支持部１５が入り込んでいる。これにより、敷物２の上面が盛り上がることによる座り心地の低下を抑制することができる。なお、敷物２が脚支持部１５に対して重しとなる必要があるため、凹部は脚支持部１５の形状よりも若干小さめに構成することが好ましい。また、敷物２の下面に凹部を形成する代わりに、敷物２の下面をウレタンフォーム等の弾性材料で構成することもできる。この場合、弾性材料が敷物２の重量によって脚支持部１５の形状に応じて変形し、凹部と同様の効果を奏する。
【実施例２】
【００２４】
図５は、図３のＶ−Ｖ断面図であり、図４とは異なる実施例における構成の敷物２を示している。この実施例における敷物２は、上方から順に、上部カバー２２，断熱層２５，弾性層２４，下部カバー２３の４層から構成されている。図に示すように、これらの全てに孔２１が形成されており、使用方法は図４の敷物２と同様である。
【００２５】
上部カバー２２および下部カバー２３は一般的なこたつ用敷物と同様綿等で構成することができる。断熱層２５は、ポリウレタン等の熱伝導性が低い材料で構成することがでる。この断熱層２５を挟むことにより、着座した人に床面や脚支持部１５の冷たさを伝達しにくくなっている。また、弾性層２４はウレタンフォーム等の弾性材料で構成することができ、脚支持部１５による敷物２の上部の盛り上がりを抑制することができる。図では、下部カバー２３の下面に凹部が形成されているが、この実施例の場合には弾性層２４が形成されているため、下部カバー２３の下面に凹部を形成せずに、敷物２の変形を弾性層２４で吸収させることもできる。
【実施例３】
【００２６】
図６は本実施例における敷物２の斜視図である。図に示すように、本実施例における敷物２には孔２１の周縁を分断する分断線２６が形成されている。図６（ａ）では、４本の分断線２６が、孔２１の周縁から、孔２１の周縁と敷物２の周縁との中間位置まで形成されている。このような分断線２６が形成された敷物２をこたつ１に使用する場合には、先ず敷物２を床面に設置し、分断線２６で分断された敷物２の部分を持ち上げ、そこにできた隙間から脚支持部１５を滑りこませる。
【００２７】
一方、図６（ｂ）では、２本の分断線２６が、孔２１の周縁から敷物２の周縁まで形成されている。そのため、敷物２が分断線２６によって２つに分離されている。このような敷物２をこたつ１に使用する場合には、脚支持部１５を床面に設置した状態で、分離された敷物２を脚支持部１５上に配置する。このとき、実施例１，２と同様な孔２１が形成されるように、分離された敷物２の位置決めを行う。なお、図６（ｂ）のような構成の敷物２は、設置後に分離する可能性があるため、面ファスナー等で互いを固定しておくことが望ましい。
【００２８】
本実施例のように分断線２６が形成された敷物２の場合には、分断線２６を敷物２の上面から下面にわたって形成すれば実施例１，２と同様に脚支持部１５を敷物２の下に配置することができるが、図７に示すように、脚支持部１５を敷物２の中に配置することもできる。図７の敷物は、下から順に、下部カバー２３，断熱層２５，弾性層２４，上部カバー２２を積層し、上部カバー２２と弾性層２４とに孔２１を形成している。
【００２９】
例えば、図６（ａ）のような分断線２６を上部カバー２２と弾性層２４とに形成すれば、分断線２６に沿って上部カバー２２と弾性層２４とを持ち上げ、弾性層２４と断熱層２５との間に脚支持部１５を滑りこませることができる。
【００３０】
また、図６（ｂ）のような分断線２６を敷物２全体に形成しても図７の配置を実現することができる。この場合には、床面に設置した脚支持部１５の端を少し持ち上げて隙間を形成した状態で、弾性層２４と断熱層２５との間に脚支持部１５を挿入する。これを対向方向から行うことで、脚支持部１５を弾性層２４と断熱層２５との間に配置することできる。
【００３１】
なお、これらの場合、上部カバー２２と弾性層２４とが上部敷物を構成し、断熱層２５と下部カバー２３とが下部敷物を構成する。当然ながら、断熱層２５にも孔２１および分断線２６を形成し、断熱層２５と下部カバー２３との間に脚支持部１５を位置させることもでき、その場合には、上部カバー２２，弾性層２４，断熱層２５が上部敷物を構成し、下部カバー２３が下部敷物を構成する。また、弾性層２４と断熱層２５との順序、分断線２６の数は適宜変更可能である。
【００３２】
また、上部敷物にのみ分断線を形成した場合には、上部敷物と下部敷物とを別体として構成しておき、使用時にこれらを結合させるように構成することもできる。この場合には、上部敷物には図６（ｂ）に示すような分断線２６を形成することが好ましい。このような敷物２を使用する際には、床面に下部敷物を敷き、その上に脚支持部１５を載置する。そして、その上に上部敷物を被せ、上部敷物と下部敷物とを結合する。なお、結合は、例えば、上部敷物の下面と下部敷物の上面に取り付けられた面ファスナーを用いることで行うことができる。
【００３３】
このように、脚支持部１５を敷物２の内部に位置させれば、敷物２にこたつ１からの荷重がかかるため、こたつ１に対して敷物２が回転しにくくなる。また、脚支持部１５が直接床面に接しないため、床面を傷つけることを防止することもできる。
【００３４】
〔別実施形態〕
（１）敷物２の孔２１の周囲の重さを敷物２の周縁部付近の重さよりも重くしても構わない。これにより、敷物２全体の重量の増加を抑制しつつ、こたつ１の安定性を向上させることができる。
【００３５】
（２）上述の実施形態では、敷物２は平面視方形であったが他の形状でも構わない。その場合、孔２１は敷物２の平面視形状の重心に位置させることが好ましい。
【００３６】
（３）上述の実施形態では、孔２１は、脚１４が挿通可能な大きさとしたが、脚１４の径よりも小さい、接続ピン１５ａが挿通可能な大きさとしても構わない。この場合には、敷物２は脚支持部１５と脚１４の下面との間に挟み込まれることとなる。そのため、敷物２の回転を抑制することができる。また、この場合、脚支持部１５に複数の接続ピン１５ａを形成し、敷物２に接続ピン１５ａの数に適合した孔２１を形成することもできる。このような構成であれば、より敷物２の回転を抑制することができる。
【００３７】
（４）敷物２が脚支持部１５または脚１４に対する固定部材を備えても構わない。固定部材としては、例えば、面ファスナー等を用いることができる。
【００３８】
（５）上述の実施形態では、接続ピン１５ａを脚支持部１５に形成し、接続孔１４ａを脚１４に形成したが、接続ピンを脚１４に形成し、接続孔を脚支持部１５に形成しても構わない。
【産業上の利用可能性】
【００３９】
本発明は、一本脚こたつ用の敷物に利用することができる。
【符号の説明】
【００４０】
１：こたつ
１１：天板
１２：天板載置部
１４：脚
１５：脚支持部
１５ａ：接続ピン（接続部材）
２：敷物
２１：孔
２２：上部カバー（上部敷物）
２３：下部カバー（下部敷物）
２４：弾性層（上部敷物）
２５：断熱層（下部敷物）
２６：分断線
【要約】
【課題】一本脚こたつの安定性を高めつつ、座り心地の低下を抑制する技術を提供する。
【解決手段】天板１１を支持する天板載置部１２と、天板載置部１２から下方に延びる一本の脚１４と、床面に設置され脚１４を支持する脚支持部１５と、を備えた一本脚こたつ１に用いるこたつ用敷物２は、中央部に、脚１４または脚１４と脚支持部１５との接続部材１５ａを挿通可能、かつ、脚支持部１５を挿通不能な大きさに形成された孔２１を備えている。
【選択図】図３【図１】
0005844493.tif 000002
【図２】
0005844493.tif 000003
【図３】
0005844493.tif 000004
【図４】
0005844493.tif 000005
【図５】
0005844493.tif 000006
【図６】
0005844493.tif 000007
【図７】
0005844493.tif 000008